(57)【特許請求の範囲】
【請求項１】
タンポン（３）を収納する大径部（７）および前記大径部（７）よりも基部側に位置する前記大径部（７）よりも小径の小径部（８）を有する外筒（１）と、前記外筒（１）の小径部（８）内に進退自在に挿入されている押出し部材（２）とが設けられ、前記外筒（１）の先部に前記押出し部材（２）で押されるタンポン（３）によって押し広げられる複数の弁（１７）が設けられているタンポン用アプリケータにおいて、
前記外筒（１）には、前記大径部（７）から先端に向うにしたがって徐々に径が小さくなる曲面部（７ａ）が形成され、前記曲面部（７ａ）に設けられた前記複数の弁（１７）が前記曲面部（７ａ）の先端に向うにしたがって収束しており、
前記大径部（７）と前記曲面部（７ａ）との境界となる変曲点をＺ、前記変曲点Ｚでの外面の半径をＡ、前記変曲点Ｚから前記曲面部（７ａ）の先端までの距離をＢとしたときに、Ａ／Ｂが０．８以下で、
平面状に展開したときの前記弁（１７）の基部の幅寸法をＷ、弁（１７）の長さをＬとしたときに、Ｌ／Ｗが１．０以上で２．０以下であり、
前記外筒（１）には、前記大径部（７）と前記小径部（８）との間に、外径が徐々に変化する変曲面（１５）が設けられており、前記大径部（７）と前記曲面部（７ａ）の長さ寸法の合計よりも、前記変曲面（１５）と前記小径部（８）の長さ寸法の合計が大きいことを特徴とするタンポン用アプリケータ。
【請求項２】
前記弁（１７）の基端が、前記変曲点Ｚとほぼ同じ位置にある請求項１記載のタンポン用アプリケータ。
【請求項３】
前記曲面部（７ａ）では、弁（１７）の先端部分（７ｂ）の曲率が、基端側の曲率よりも大きく形成されている請求項１または２記載のタンポン用アプリケータ。
【請求項４】
前記弁（１７）の曲率が大きくなっている部分の軸方向の長さＹが、前記変曲点Ｚから前記曲面部（７ａ）の先端までの距離Ｂの１／２以下である請求項３記載のタンポン用アプリケータ。
【請求項５】
前記押出し部材（２）は、熱可塑性樹脂が押し出し成形された後に軸方向へ延伸されたものである請求項１ないし４のいずれかに記載のタンポン用アプリケータ。
【発明の詳細な説明】
【０００１】
【発明の属する技術分野】
本発明は、生理用タンポンを体内に挿入する際に使用されるタンポン用アプリケータに関する。
【０００２】
【従来の技術】
生理用タンポン用のアプリケータは、タンポンが収納される外筒と、この外筒内に挿入されて前記外筒の後端から後方へ突出する押出し用の内筒とを有している。タンポンから延びる取出しコードは、前記外筒内から前記内筒内を経て内筒の後端から後方へ突出している。
【０００３】
タンポンを使用するときには、前記外筒を膣腔内に挿入し、前記内筒を押して内筒によって外筒内のタンポンを押出す。前記タンポンは外筒の先端の変形可能な多数の弁を拡開させながら膣腔内に挿入される。
【０００４】
前記アプリケータの外筒および内筒を紙で形成したものもあるが、最近では外面が平滑で膣腔内への挿入がスムーズに行われるように、前記外筒として合成樹脂を射出成形（インジェクション成形）したものが使用されている。
【０００５】
図４は従来のアプリケータの外筒３０の先端部の一般的な形状を示す部分側面図である。
【０００６】
従来のアプリケータの外筒３０は、大径部３０ａが円筒形状であり、先部では、前記大径部３０ａから変曲点Ｚｏを経て曲面部３０ｂが形成されている。前記曲面部３０ｂの形状は、前記変曲点Ｚｏを通る断面の中心Ｏが半径中心となるほぼ半球面形状である。よって、前記変曲点Ｚｏでの外面の半径をＡｏ、前記変曲点Ｚｏから曲面部３０ｂの先端までの軸方向の長さをＢｏとすると、Ａｏ／Ｂｏがほぼ１である。
【０００７】
前記曲面部３０ｂには、先端方向の延びる花弁状に配置された複数の弁３１が形成されており、前記弁３１は前記曲面部３０ｂの曲率によって先端方向へ収束するように変形させられている。
【０００８】
【発明が解決しようとする課題】
しかし、図４に示す従来のタンポン用アプリケータの外筒３０の先部形状は、大径部３０ａが円筒形状で、その先に半球形状の曲面部３０ｂが形成されたものであるため、使用時に膣腔内への挿入抵抗を軽減するのに限界がある。
【０００９】
そこで、外筒の先端を半球形状ではなく、先部にいくにしたがって徐々に径が小さくなる形状、すなわちＡｏ／Ｂｏが１より小さい形状にすると、膣腔内への挿入抵抗を低減することが可能である。
【００１０】
しかし、外筒の先端を前記のように徐々に径が小さくなる形状にすると、必然的に弁３１の形状も軸方向に長く形成することが必要になる。すなわち外筒の弁３１が開いた状態で、タンポンが外筒内に挿入され、その後に弁を曲面形状に熱変形させて外筒の先部を閉じる構造となるため、前記弁３１の軸方向の長さは曲面部の軸方向の長さとほぼ一致させておかないと、弁が開いた状態でタンポンを外筒内に挿入しにくくなる。
【００１１】
このように外筒の先部で弁の軸方向の長さ寸法が大きくなると、タンポンが外筒に収納されている状態で、弁を曲面形状に熱変形させたときに弁の先端の形状が安定せず、弁の先端が開くように変形するおそれがある。弁が開いていると外筒の先部を膣腔内に挿入するときに体内に不要な抵抗を与えたり、または損傷を与えるおそれもある。
【００１２】
前記のように軸方向に長い弁を用い、この弁が熱変形された状態で形状を安定させるためには、外筒そのものの肉厚を大きくすること、または硬度の高い樹脂で射出成形することなどの対策が必要である。しかし肉厚を大きくすると、使用する樹脂量が多くなり廃棄したときの環境への影響に問題が生じる。また硬質の樹脂を使用すると、弁も硬いものになり、体に触れたときの抵抗が大きくなり、また射出成形の型内での樹脂の流動性が低下し、弁の成形不良などが発生しやすくなる。
【００１３】
本発明は上記従来の課題を解決するものであり、外筒の先部を膣腔に挿入しやすい形状とした場合に、この先部に設けられる弁を成形しやすく、また弁の先端の開きを防止できるタンポン用アプリケータを提供することを目的としている。
【００１４】
【課題を解決するための手段】
本発明は、タンポンを収納する大径部および前記大径部よりも基部側に位置する前記大径部よりも小径の小径部を有する外筒と、前記外筒の小径部内に進退自在に挿入されている押出し部材とが設けられ、前記外筒の先部に前記押出し部材で押されるタンポンによって押し広げられる複数の弁が設けられているタンポン用アプリケータにおいて、
前記外筒には、前記大径部から先端に向うにしたがって徐々に径が小さくなる曲面部が形成され、前記曲面部に設けられた前記複数の弁が前記曲面部の先端に向うにしたがって収束しており、
前記大径部と前記曲面部との境界となる変曲点をＺ、前記変曲点Ｚでの外面の半径をＡ、前記変曲点Ｚから前記曲面部の先端までの距離をＢとしたときに、Ａ／Ｂが０．８以下で、
平面状に展開したときの前記弁の基部の幅寸法をＷ、弁の長さをＬとしたときに、Ｌ／Ｗが１．０以上で２．０以下であり、
前記外筒には、前記大径部と前記小径部との間に、外径が徐々に変化する変曲面が設けられており、前記大径部と前記曲面部の長さ寸法の合計よりも、前記変曲面と前記小径部の長さ寸法の合計が大きいことを特徴とするものである。
【００１５】
本発明では、外筒の先部の曲面部の形状を、Ａ／Ｂが０．８以下としたことにより、図４に示す従来の半球形状の曲面部を有する外筒に比べて膣腔内への挿入抵抗感を低減できる。
【００１６】
この場合、弁が外筒の軸方向の寸法に沿って長く形成されるものとなる。しかし、弁の形状をＬ／Ｗが１．０以上で２．０以下とすることにより、すなわち長さＬに対して基端の幅Ｗを大きく確保しておくことによって、弁を曲面形状に熱変形させたときの樹脂歪みの保持力を大きくでき、回復力を抑制でき、その結果、弁の先部の開きが生じるのを抑制できる。
【００１７】
また、前記弁の基端は、前記変曲点Ｚとほぼ同じ位置にある構成となる。
さらに、前記曲面部では、弁の先端部分の曲率が、基端側の曲率よりも大きく形成されていることが好ましい。
【００１８】
この場合、前記弁の曲率が大きくなっている部分の軸方向の長さＹが、前記変曲点Ｚから前記曲面部の先端までの距離Ｂの１／２以下であることが好ましい。
【００１９】
前記外筒の大径部の先部で、弁の先端部分が大きな曲率で変形させられているので、弁の先端部分の塑性変形量が大きくなり、弁の先端の開きをさらに抑制できる。また弁の先端部分が大きな曲率に形成されていることにより、体内への挿入の際に、弁の先端が体に当たることがなく、体に違和感を生じさせることがない。
【００２０】
【発明の実施の形態】
図１は本発明のタンポン用アプリケータにタンポンが収納されている状態を示す縦断面図、図２（Ａ）はアプリケータの外筒が射出成形された状態を示す断面図、図２（Ｂ）はその端面図、図３は弁が湾曲形成された状態を示す拡大側面図である。
【００２１】
図１に示すタンポン用アプリケータは、外筒１と内筒２（押出し部材）とから構成されている。外筒１の先部の内部にはコットンなどの吸収性繊維を圧縮成形したタンポン３が収納されており、このタンポン３に接続された取出しコード４が、外筒１内から内筒２内を経て後方へ延びている。
【００２２】
前記外筒１は射出成形により形成されたものであり、ＰＥ（ポリエチレン）、ＰＰ（ポリプロピレン）などの熱可塑性樹脂により形成されている。射出成形で形成された外筒１は、表面が平滑であり体に当たったときに違和感を与えにくい。外筒１を射出成形する際、金型内での樹脂流れを良好にし、表面が平滑で且つ可能な限り薄肉に形成するためには、熱可塑性樹脂としてＬＤＰＥ（低密度ポリエチレン）を使用することが好ましい。射出成形により形成される前記外筒１の肉厚は０．６〜１．０ｍｍの範囲である。
【００２３】
タンポン３を押出す押出し部材として機能する前記内筒２は、ＰＥ、ＰＰ、ＰＥＴ（ポリエチレンテレフタレート）などの熱可塑性樹脂が円筒状（ストロー状、パイプ状）に押出し成形された押出し材により形成されている。さらに好ましくは、前記熱可塑性樹脂が押出された後に軸方向へ延伸されたものが使用される。押出し成形され且つ延伸された押出し材は樹脂の軸方向への配向性が良くなり、その結果軸方向の座屈強度が高くなる。したがって、例えば肉厚を０．４ｍｍ以下（下限は０．１ｍｍ程度）、内径を７ｍｍ以下（下限は３ｍｍ程度）の薄肉で且つ小径にしても十分な座屈強度を有するものとなる。したがって、使用時に内筒２を押してタンポン３を外筒１から突出させる際に、内筒２が座屈変形しにくく、また折れるようなことがない。
【００２４】
前記内筒２は前記外筒１の小径部８内に進退自在に挿入されているが、その前端には押圧部１１が形成されている。押圧部１１は外径が拡大変形されており、この押圧部１１を設けることにより、タンポン３を後端から押しやすくまた内筒２が外筒１の後端方向へ抜けないようになっている。また内筒２の後端には拡開部１２が形成されている。この拡開部１２を形成することにより、内筒２が小径であっても後端を指で押圧しやすくなっている。
【００２５】
図２（Ａ）は、外筒１が射出成形された状態を示している。射出成形された直後の外筒１は、大径部７が一定の外径の円筒状であり、この大径部７と後方の小径部８との間には外径が徐々に変化する変曲面１５が形成されている。
【００２６】
大径部７の先端には突出口１６が開口しているが、この突出口１６の周囲には４枚の弁１７が花弁状に形成されている。弁１７は外筒１の先端に向うにしたがって幅寸法が徐々に狭くなり先端がほぼ円弧形状である。外筒１の軸方向でのこの弁１７の長さはＬである。また図２（Ｂ）に示すように、前記弁１７を平坦に展開したと仮定したときの前記弁１７の基端の幅寸法はＷである。
【００２７】
アプリケータの組立では、まず内筒２の前端に前記押圧部１１が拡開成形される。この内筒２の後端が前記外筒１の突出口１６から挿入され、前記小径部８を通過して、外筒１の後端９の開口部１０から後方へ突出させられる。その後に前記開口部１０から後方へ突出している内筒２の後端に拡開部１２が形成される。
【００２８】
タンポン３は外筒１の突出口１６から大径部７内に挿入され、このとき取出しコード４が内筒２内を経て内筒２の後端から後方へ引き出される。
【００２９】
タンポン３が外筒１の大径部７に挿入された後に、外筒１の大径部７の先部に加熱した押し型が当てられ、弁１７が熱変形させられる。その結果、図３に示すように、前記弁１７が先端に向うにしたがって収束するように湾曲変形させられ、外筒１には大径部７よりも先部に曲面部７ａが形成される。外筒１の軸方向での前記曲面部７ａの長さはＢである。図２（Ａ）に示す長さＬの弁１７が湾曲変形して前記曲面部７ａが形成されるため、Ｂ＜Ｌである。すなわち、この実施の形態では、ほぼ円筒形状の大径部７と前記曲面部７ａとの境界に変曲点Ｚを有しており、この変曲点Ｚと前記弁１７の基端とが外筒１の軸方向でほぼ一致した位置にある。
【００３０】
また、前記曲面部７ａでは、弁１７の先端から基端側への所定の長さ範囲（外筒の軸方向の長さ範囲Ｙ）の先端部分７ｂの曲率が、前記先端部分７ｂよりも基部側の曲面部７ａの曲率よりも大きく形成されている。すなわち、この外筒１には大径部７から曲面部７ａに至る前記変曲点Ｚと、この変曲点Ｚよりも先に位置して前記先端部分７ｂに至る第２の変曲点Ｓが形成されている。そして前記Ｙの範囲の先端部分７ｂの曲率が、それよりも基端側のＸの範囲の曲面部７ａの曲率よりも大きい。
【００３１】
図３に示す大径部７では、前記変曲点Ｚでの外面の半径をＡ、外筒１の軸方向での前記変曲点Ｚから外筒の先端までの長さをＢとしたときに、Ａ／Ｂが０．８以下であり、好ましくはＡ／Ｂが０．６以下である。よって、曲面部７ａは先部に向って徐々に細くなる形状であり、図４に示した従来の半球形状の曲面部３０ｂに比べて細長である。そのため外筒１の先部を膣腔内に挿入するときの挿入抵抗感を低減できる。
【００３２】
さらに、前記弁１７を平坦に展開したと仮定したときの長さＬと基端の幅Ｗとの関係Ｌ／Ｗを１．０以上で２．０以下とする。これにより、先細りの曲面部７ａに合わせて弁１７を湾曲成形したときに、塑性変形後の湾曲状態を維持しやすくなり、弁１７の先端の開きが生じにくくなる。図２（Ａ）に示す状態の外筒１の弁１７を変形させるときには、加熱した型を押し付け、弁１７の合成樹脂をガラス転移点以上の温度に加熱して変形させ、その後に冷却することにより、樹脂の配向性を湾曲状態に変化させる。このとき、Ｌ／Ｗが２．０を超えると、弁１７が縦長になりすぎ、湾曲状態へ配向する樹脂の量が少なく、曲面状態を維持しにくくなり、成形後に回復しやすくなり、また外力により弁１７の先端が開き変形しやすくなる。
【００３３】
さらに、図３に示すように曲面部７ａの先部では弁に先端部分７ｂで曲率が大きく形成されており、この先端部分７ｂでの曲率はＸで示す範囲での曲面部７ａの曲率よりも大きくなっている。よって、弁１７の先端の曲がり変形量が大きくなり、さらに弁１７の先端の開きを抑制できるようになる。また先端部分７ｂにおいて、弁１７の先端が大きな曲率で収束しているため、膣腔内に挿入するときに、弁１７の先端が体に当たることがなくなる。
【００３４】
前記先端部分７ｂは弁の先部に局部的に形成されていることが好ましく、よって外筒１の軸方向の寸法において、先端部分７ｂの長さＹとそれよりも基端側の曲面部７ａの長さＸとの関係がＹ＜Ｘであること、すなわちＹ／Ｂが０．５以下であることが好ましく、さらに好ましくはＹ／Ｂが０．３以下である。
【００３５】
【実施例】
以下の表１に示す実施例−１、実施例−２、実施例−３、および比較例−１、比較例−２の寸法の先部形状を持つアプリケータを成形した。
【００３６】
使用した樹脂は密度０．９２ｇ／ｃｍ3のＬＤＰＥ（低密度ポリエチレン）で、ＭＦＲ（メルトフローレート）が４８のものを使用した。射出成形（インジェクション成形）により図２（Ａ）に示すのと類似した形状の外筒１を形成した。
【００３７】
（評価）
射出成形性…図２（Ａ）に示すのと類似の形状の外筒を射出成形した後に、弁の先部の形状を観察した、先端に欠けが生じていたりバリが残っているものを成形不良とし「×」で示した。
【００３８】
弁の先端の開き…射出成形した外筒の先端を金型で加熱して、弁を湾曲させて曲面部を形成した後に、４０℃のオーブン内に１週間放置して弁の先端の開きを観察した。弁の先端が放置前よりも２ｍｍ以上外側へ開き変形したものを「×」とした。
【００３９】
押出し易さ…アプリケータにタンポンを収納し、消費者が実際に使用して、内筒を押してタンポンを押出すときの抵抗感をテストした。タンポンを押出しにくいという感想が得られたものを「×」とした。
【００４０】
【表１】
0003797835.tif 000002
【００４１】
前記評価の結果、実施例−１、実施例−２、実施例−３のように、Ｌ／Ｗが１．０〜２．０の範囲であると、射出成形性、弁の先端の開き、押出し易さの点で、良好である。比較例−１では、Ｌ／Ｗが０．６６であり、先部が先細り形状ではなく、よってタンポンを押出しにくい。また比較例−２では、Ｌ／Ｗが２．０を超えており、弁の射出成形性が悪く、また弁の先端が開きやすくなる。
【００４２】
【発明の効果】
以上のように本発明では、アプリケータの大径部の先部の曲面部が先細り形状となり膣腔内に挿入しやすくなる。この挿入しやすい形状において、射出成形したときに弁の先端に欠けやバリが生じなくなり、また弁を湾曲成形したときに弁の開きが生じにくくなる。さらに弁の先端部分の曲率を大きくしておくことにより、弁の先端の開きを抑制しやすくなる。
【図面の簡単な説明】
【図１】本発明のアプリケータにタンポンが収納された状態を示す縦断面図、
【図２】（Ａ）は外筒が射出成形された状態を示す半断面を含む側面図、（Ｂ）は外筒の先部の端面図、
【図３】弁を湾曲させた状態を示す拡大側面図、
【図４】従来のアプリケータの先部形状を示す拡大側面図、
【符号の説明】
１  外筒
２  内筒
３  タンポン
４  取出しコード
７  大径部
７ａ  曲面部
７ｂ  先端部分
１６  突出口
１７  弁
【図１】
0003797835.tif 000003
【図２】
0003797835.tif 000004
【図３】
0003797835.tif 000005
【図４】
0003797835.tif 000006